【手続補正書】
【提出日】平成17年1月25日(2005.1.25)
【手続補正１】
【補正対象書類名】明細書
【補正対象項目名】特許請求の範囲
【補正方法】変更
【補正の内容】
【特許請求の範囲】
【請求項１】
ブラシレスモータのロータの磁極位置を検出する単一のホール素子と、
複数のスイッチング素子が３相ブリッジ接続され、前記ブラシレスモータのステータ巻線に対する電流の供給を行うインバータ回路と、
前記ホール素子の出力信号に基づいて前記インバータ回路のスイッチング素子をオン、オフ制御する制御手段と、
を備え、前記制御手段は、前記ブラシレスモータの起動前に、前記ホール素子の出力信号に同期させて、正電圧側及び負電圧側のいずれか一方のスイッチング素子の１個をＰＷＭ通電すると共に他方のスイッチング素子の２個をＰＷＭ通電しロータを停止させる直流励磁手段を有する空気調和機の室外ファン用ブラシレスモータの駆動装置。
【請求項２】
前記直流励磁手段は、前記ホール素子の磁極位置検出信号に基づきロータの回転速度が大きい場合ほど、ＰＷＭ電流波形のデューティを大きくする請求項１に記載の空気調和機の室外ファン用ブラシレスモータの駆動装置。
【請求項３】
ブラシレスモータのロータの磁極位置を検出する単一のホール素子と、
複数のスイッチング素子がブリッジ接続され、前記ブラシレスモータのステータ巻線に対する電流の供給を行うインバータ回路と、
前記ホール素子の出力信号に基づいて前記スイッチング素子をオン、オフ制御する制御手段と、
を備え、前記制御手段は、前記ブラシレスモータの起動前に、前記インバータ回路の正電圧側の全スイッチング素子及び負電圧側の全スイッチング素子のいずれか一方をオン状態に、他方をオフ状態にするゼロベクトル通電手段による制御と、前記ホール素子の出力信号に同期させて、正電圧側及び負電圧側のいずれか一方のスイッチング素子の１個をＰＷＭ通電すると共に他方のスイッチング素子の２個をＰＷＭ通電する直流励磁手段とによる制御とを組み合わせてロータを制動、停止させる直流励磁手段を有する空気調和機の室外ファン用ブラシレスモータの駆動装置。
【請求項４】
前記制御手段は、前記ホール素子の磁極位置検出信号に基づいてロータの回転数を検出し、回転数が所定値より大きいとき前記ゼロベクトル通電手段による制御で制動を開始し、回転数が所定値より小さいとき前記直流励磁手段による制御で制動を開始する請求項３に記載の空気調和機の室外ファン用ブラシレスモータの駆動装置。
【請求項５】
前記ホール素子はいずれか１相のステータ巻線の中心より通常の回転方向とは逆の方向に偏心した位置に設けられ、前記直流励磁手段は、前記ホール素子の磁極位置検出タイミングに対して、一定時間遅延させて通電する請求項１乃至７のいずれかに記載の空気調和機の室外ファン用ブラシレスモータの駆動装置。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
請求項２に係る発明は、請求項１に記載の空気調和機の室外ファン用ブラシレスモータの駆動装置において、直流励磁手段は、ホール素子の磁極位置検出信号に基づきロータの回転速度が大きい場合ほど、ＰＷＭ電流波形のデューティを大きくするものである。
【手続補正５】
【補正対象書類名】明細書
【補正対象項目名】００１２
【補正方法】変更
【補正の内容】
【００１２】
請求項２の発明によれば、この構成により、永久磁石の減磁を抑えながら起動前に迅速にロータを停止することができる。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
請求項３に係る発明は、
ブラシレスモータのロータの磁極位置を検出する単一のホール素子と、
複数のスイッチング素子がブリッジ接続され、ブラシレスモータのステータ巻線に対する電流の供給を行うインバータ回路と、
ホール素子の出力信号に基づいてスイッチング素子をオン、オフ制御する制御手段と、
を備え、制御手段は、ブラシレスモータの起動前に、インバータ回路の正電圧側の全スイッチング素子及び負電圧側の全スイッチング素子のいずれか一方をオン状態に、他方をオフ状態にするゼロベクトル通電手段による制御と、ホール素子の出力信号に同期させて、正電圧側及び負電圧側のいずれか一方のスイッチング素子の１個をＰＷＭ通電すると共に他方のスイッチング素子の２個をＰＷＭ通電する直流励磁手段とによる制御とを組み合わせてロータを制動、停止させる直流励磁手段を有する空気調和機の室外ファン用ブラシレスモータの駆動装置である。
【手続補正１１】
【補正対象書類名】明細書
【補正対象項目名】００１８
【補正方法】変更
【補正の内容】
【００１８】
請求項３の発明によれば、この構成により、ファン等が外的な要因によって回転している場合でも、制動、停止、位置決めのための停止制御が容易となり、また、駆動回路及びモータに過度の負担をかけることなく、しかも、永久磁石の減磁を抑えての起動を可能にするという効果が得られる。
【手続補正１２】
【補正対象書類名】明細書
【補正対象項目名】００１９
【補正方法】変更
【補正の内容】
【００１９】
請求項４に係る発明は、請求項３に記載の空気調和機の室外ファン用ブラシレスモータの駆動装置において、制御手段は、ホール素子の磁極位置検出信号に基づいてロータの回転数を検出し、回転数が所定値より大きいときゼロベクトル通電手段による制御で制動を開始し、回転数が所定値より小さいとき直流励磁手段とによる制御で制動を開始するものである。
【手続補正１３】
【補正対象書類名】明細書
【補正対象項目名】００２０
【補正方法】変更
【補正の内容】
【００２０】
請求項４の発明によれば、この構成により、消費電力をできるだけ低く抑えながら、確実に制動、停止、位置決めのための停止制御ができる利点がある。
【手続補正１４】
【補正対象書類名】明細書
【補正対象項目名】００２１
【補正方法】変更
【補正の内容】
【００２１】
請求項５に係る発明は、請求項１乃至４のいずれかに記載の空気調和機の室外ファン用ブラシレスモータの駆動装置において、ホール素子はいずれか１相のステータ巻線の中心より通常の回転方向とは逆の方向に偏芯した位置に設けられ、制御手段は、ホール素子の磁極位置検出タイミングに対して、一定時間遅延させて通電するものである。
【手続補正１５】
【補正対象書類名】明細書
【補正対象項目名】００２２
【補正方法】変更
【補正の内容】
【００２２】
請求項５の発明によれば、この構成により、停止時に不要な加速動作を未然に防止することができる。
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】